(57)【特許請求の範囲】
【請求項１】
所定の表示フォーマットを有する映像信号を表示することが可能なディスプレイ装置を有するテレビジョン受信機であって、
それぞれが異なる表示フォーマットの映像信号が入力されて、入力される映像信号をそれぞれデコードする複数の映像信号デコード部と、
前記複数の映像信号デコード部から出力されるデコード後の映像信号のうち一つを選択する選択回路と、
前記映像信号デコード部とは別に構成され、プログラムに従って映像信号の表示フォーマットを変換するプロセッサとを備え、
前記プロセッサにおいて前記選択回路で選択されたデコード後の映像信号の表示フォーマットを前記ディスプレイ装置にて表示可能な表示フォーマットにフォーマット変換処理を行って出力し、前記プロセッサから出力される映像信号が前記ディスプレイ装置に供給されて前記ディスプレイ装置にて表示されることを特徴とするテレビジョン受信機。
【請求項２】
所定の表示フォーマットを有する映像信号を表示することが可能なディスプレイ装置を有するテレビジョン受信機であって、
それぞれが異なる表示フォーマットの映像信号が入力されて、入力される映像信号をそれぞれデコードする複数の映像信号デコード部と、
前記複数の映像信号デコード部から出力されるデコード後の映像信号のうち少なくとも二つを選択する選択回路と、
前記映像信号デコード部とは別に構成され、プログラムに従って複数の入力映像信号の表示フォーマットを変換しさらに複数の映像信号を合成するプロセッサとを備え、
前記プロセッサにおいて前記選択回路にて選択された複数の映像信号における互いに異なる映像信号の表示フォーマットを前記ディスプレイ装置にて表示可能な同一の表示フォーマットにあわせるようにフォーマット変換処理を施したのち画面合成処理を施しさらに前記ディスプレイ装置の表示フォーマットにフォーマット変換処理を行って出力し、前記プロセッサから出力される映像信号が前記ディスプレイ装置に供給されて前記ディスプレイ装置にて表示されることを特徴とするテレビジョン受信機。
【請求項３】
それぞれが異なる表示フォーマットの映像信号が入力されて、入力される映像信号をそれぞれデコードする複数の映像信号デコード部と、
前記複数の映像信号デコード部から出力されるデコード後の映像信号のうち一つを選択する選択回路と、
前記映像信号デコード部とは別に構成され、プログラムに従って映像信号の表示フォーマットを変換するプロセッサとを備え、
前記プロセッサにおいて前記選択回路で選択されたデコード後の映像信号の表示フォーマットを所定の表示フォーマットにフォーマット変換処理を行って出力することを特徴とする映像信号処理装置。
【請求項４】
それぞれが異なる表示フォーマットの映像信号が入力されて、入力される映像信号をそれぞれデコードする複数の映像信号デコード部と、
前記複数の映像信号デコード部から出力されるデコード後の映像信号のうち少なくとも二つを選択する選択回路と、
前記映像信号デコード部とは別に構成され、プログラムに従って、前記選択回路によって選択された複数の入力映像信号の表示フォーマットを変換しさらに複数の映像信号を合成するプロセッサとを備え、
前記プロセッサにおいて前記選択回路にて選択された複数の映像信号における互いに異なる入力映像信号の表示フォーマットを同一フォーマットに合わせるようにフォーマット変換処理を施したのち画面合成処理を施しさらに所定の表示フォーマットにフォーマット変換処理を行って出力することを特徴とする映像信号処理装置。
【発明の詳細な説明】
【０００１】
【発明の属する技術分野】
本発明は、テレビジョン受信機および映像信号処理装置に関する。
【０００２】
【従来の技術】
近年、放送メディアは多様になってきている。地上波を用いたＮＴＳＣ放送だけでなく、ＢＳ（放送衛星）を用いたＮＴＳＣ放送やハイビジョン放送が実現されている。さらに最近では、ＣＳ（通信衛星）を用いたディジタル放送も実現されている。
【０００３】
このような放送メディアの多様化に伴い、テレビジョン受信機は多様な放送メディアを受信しそれらを表示することが要求される。
【０００４】
しかしながら、これらの放送メディアの映像フォーマットは多種多様である。例えば、ＮＴＳＣ放送では水平走査線数５２５本／飛び越し走査という映像フォーマットが使用されており、ハイビジョン放送では水平走査線数１１２５本／飛び越し走査という映像フォーマットが使用されている。さらに、最近では、コンピュータから出力されるＶＧＡ、ＳＶＧＡという映像フォーマットを有する映像信号をテレビジョン受信機に表示することも要求されている。このように、テレビジョン受信機の表示機能に対する要求はますます厳しくなっている。
【０００５】
【発明が解決しようとする課題】
このような多種多様な映像フォーマットを有する映像信号を表示するテレビジョン受信機を実現する場合、異なる映像フォーマットの入力信号ごとに異なる変換装置を設けることが考えられる。しかし、このような構成は、異なる映像フォーマットの数と同じ数の変換装置を必要とするため、回路規模やコストの増大を招くという課題を有している。
【０００６】
本発明は、上記課題に鑑みてなされたものであり、回路規模やコストを増大させることなく多様な放送メディアに対応することができるテレビジョン受信機および映像信号処理装置を提供することを目的とする。
【０００７】
【課題を解決するための手段】
本発明のテレビジョン受信機は、所定の表示フォーマットを有する映像信号を表示することが可能なディスプレイ装置を有するテレビジョン受信機であって、それぞれが異なる表示フォーマットの映像信号が入力されて、入力される映像信号をそれぞれデコードする複数の映像信号デコード部と、前記複数の映像信号デコード部から出力されるデコード後の映像信号のうち一つを選択する選択回路と、前記映像信号デコード部とは別に構成され、プログラムに従って映像信号の表示フォーマットを変換するプロセッサとを備え、前記プロセッサにおいて前記選択回路で選択されたデコード後の映像信号の表示フォーマットを前記ディスプレイ装置にて表示可能な表示フォーマットにフォーマット変換処理を行って出力し、前記プロセッサから出力される映像信号が前記ディスプレイ装置に供給されて前記ディスプレイ装置にて表示されることを特徴とする。これにより、上記目的が達成される。
【０００９】
本発明の他のテレビジョン受信機は、所定の表示フォーマットを有する映像信号を表示することが可能なディスプレイ装置を有するテレビジョン受信機であって、それぞれが異なる表示フォーマットの映像信号が入力されて、入力される映像信号をそれぞれデコードする複数の映像信号デコード部と、前記複数の映像信号デコード部から出力されるデコード後の映像信号のうち少なくとも二つを選択する選択回路と、前記映像信号デコード部とは別に構成され、プログラムに従って複数の入力映像信号の表示フォーマットを変換しさらに複数の映像信号を合成するプロセッサとを備え、前記プロセッサにおいて前記選択回路にて選択された複数の映像信号における互いに異なる映像信号の表示フォーマットを前記ディスプレイ装置にて表示可能な同一の表示フォーマットにあわせるようにフォーマット変換処理を施したのち画面合成処理を施しさらに前記ディスプレイ装置の表示フォーマットにフォーマット変換処理を行って出力し、前記プロセッサから出力される映像信号が前記ディスプレイ装置に供給されて前記ディスプレイ装置にて表示されることを特徴とする。これにより、上記目的が達成される。
【００１１】
本発明の映像信号処理装置は、それぞれが異なる表示フォーマットの映像信号が入力されて、入力される映像信号をそれぞれデコードする複数の映像信号デコード部と、前記複数の映像信号デコード部から出力されるデコード後の映像信号のうち一つを選択する選択回路と、前記映像信号デコード部とは別に構成され、プログラムに従って映像信号の表示フォーマットを変換するプロセッサとを備え、前記プロセッサにおいて前記選択回路で選択されたデコード後の映像信号の表示フォーマットを所定の表示フォーマットにフォーマット変換処理を行って出力することを特徴とし、これにより、上記目的が達成される。
【００１２】
本発明の他の映像信号処理装置は、それぞれが異なる表示フォーマットの映像信号が入力されて、入力される映像信号をそれぞれデコードする複数の映像信号デコード部と、前記複数の映像信号デコード部から出力されるデコード後の映像信号のうち少なくとも二つを選択する選択回路と、前記映像信号デコード部とは別に構成され、プログラムに従って、前記選択回路によって選択された複数の入力映像信号の表示フォーマットを変換しさらに複数の映像信号を合成するプロセッサとを備え、前記プロセッサにおいて前記選択回路にて選択された複数の映像信号における互いに異なる入力映像信号の表示フォーマットを同一フォーマットに合わせるようにフォーマット変換処理を施したのち画面合成処理を施しさらに所定の表示フォーマットにフォーマット変換処理を行って出力することを特徴とし、これにより、上記目的が達成される。
【００１３】
【発明の実施の形態】
以下、図面を参照して、本発明の実施の形態を説明する。
【００１４】
（実施の形態１）
図１は、本発明の実施の形態１のテレビジョン受信機２００の構成を示す。
【００１５】
テレビジョン受信機２００は、所定の表示フォーマットを有する映像信号を表示可能なディスプレイ装置５０を有している。その所定の表示フォーマットは、例えば、水平走査線数１１２５本／飛び越し走査である。
【００１６】
テレビジョン受信機２００は、複数の映像信号を出力する複数の映像信号源２１０ａ〜２１０ｄと、複数の映像信号のそれぞれの映像フォーマットをディスプレイ装置５０が表示可能な所定の表示フォーマットに変換するフォーマット変換部１００とをさらに含んでいる。ここで、本明細書では、映像フォーマットおよび表示フォーマットは、水平走査線数、アスペクト比、飛び越し走査／非飛び越し走査、フィールドの周波数を含むと定義する。
【００１７】
映像信号源２１０ａは、Ｖ／ＵＨＦチューナ１と、ＶＩＦ６と、ＶＳＢ復調器９と、選択回路１２と、ＮＴＳＣデコーダ１５とを含む。地上波を用いたＮＴＳＣ放送信号は、Ｖ／ＵＨＦアンテナ（図示せず）によって受信される。Ｖ／ＵＨＦアンテナによって受信されたＮＴＳＣ放送信号は、Ｖ／ＵＨＦチューナ１およびＶＩＦ６を介してＶＳＢ復調器９に供給される。ＶＳＢ復調器９は、ＮＴＳＣ放送信号をベースバンドＮＴＳＣ信号に変換する。ベースバンドＮＴＳＣ信号は、選択回路１２を介してＮＴＳＣデコーダ１５に供給される。ＮＴＳＣデコーダ１５は、ベースバンドＮＴＳＣ信号をデコードすることにより、ＲＧＢ信号を出力する。ＲＧＢ信号は、フォーマット変換部１００に供給される。
【００１８】
このようにして、映像信号源２１０ａからフォーマット変換部１００にＲＧＢ信号が供給される。
【００１９】
映像信号源２１０ｂは、ＢＳチューナ２と、ＶＩＦ７と、ＦＭ復調器１０と、ＭＵＳＥデコーダ１６とを含む。ＢＳを用いたハイビジョン放送信号は、ＢＳアンテナ（図示せず）によって受信される。ＢＳアンテナによって受信されたハイビジョン放送信号は、ＢＳチューナ２およびＶＩＦ７を介してＦＭ復調器１０に供給される。ＦＭ復調器１０は、ハイビジョン放送信号をベースバンドＭＵＳＥ信号に変換する。ベースバンドＭＵＳＥ信号は、ＭＵＳＥデコーダ１６に供給される。ＭＵＳＥデコーダ１６は、ベースバンドＭＵＳＥ信号をデコードすることにより、高品位ＲＧＢ信号を出力する。高品位ＲＧＢ信号は、フォーマット変換部１００に供給される。
【００２０】
このようにして、映像信号源２１０ｂからフォーマット変換部１００に高品位ＲＧＢ信号が供給される。
【００２１】
映像信号源２１０ｃは、ＣＳチューナ３と、ＶＩＦ８と、ＱＰＳＫ復調器１１と、ディジタルデコーダ１７とを含む。ＣＳを用いたディジタル放送信号は、ＣＳアンテナ（図示せず）によって受信される。ＣＳアンテナによって受信されたディジタル放送信号は、ＣＳチューナ３およびＶＩＦ８を介してＱＰＳＫ復調器１１に供給される。ＱＰＳＫ復調器１１は、ディジタル放送信号をディジタルビットストリームに変換する。ディジタルビットストリームは、ディジタルデコーダ１７に供給される。ディジタルデコーダ１７は、ＭＰＥＧ２方式に従ってディジタルビットストリームをデコードすることにより、ＲＧＢ信号を出力する。ＲＧＢ信号は、フォーマット変換部１００に供給される。
【００２２】
このようにして、映像信号源２１０ｃからフォーマット変換部１００にＲＧＢ信号が供給される。
【００２３】
映像信号源２１０ｄは、入力端子２２を含む。テレビジョン受信機２００は、入力端子２２を介してパーソナルコンピュータ（ＰＣ）４に接続される。パーソナルコンピュータ（ＰＣ）４から出力されるＲＧＢ信号が入力端子２２を介してフォーマット変換部１００に供給される。
【００２４】
このようにして、映像信号源２１０ｄからフォーマット変換部１００にＲＧＢ信号が供給される。
【００２５】
映像信号源２１０ａおよび２１０ｃから出力されるＲＧＢ信号と、映像信号源２１０ｂから出力される高品位ＲＧＢ信号と、映像信号源２１０ｄから出力されるＲＧＢ信号とは、それぞれ互いに異なる映像フォーマットを有している。例えば、映像信号源２１０ａおよび２１０ｃから出力されるＲＧＢ信号は、水平走査線数５２５本／飛び越し走査という映像フォーマットを有している。映像信号源２１０ｂから出力される高品位ＲＧＢ信号は、水平走査線数１１２５本／飛び越し走査という映像フォーマットを有している。映像信号源２１０ｄから出力されるＲＧＢ信号は、ＶＧＡ、ＳＶＧＡなどの映像フォーマットを有している。
【００２６】
フォーマット変換部１００は、複数の映像信号源２１０ａ〜２１０ｄから出力される複数の映像信号のうち１つを選択する選択回路３０と、プログラムに従って、選択回路３０によって選択された映像信号のフォーマットをディスプレイ装置５０が表示可能な所定の表示フォーマットに変換するディジタルシグナルプロセッサ（以下、ＤＳＰという）４０とを有している。ＤＳＰ４０の代わりに、一般のプロセッサを使用してもよい。
【００２７】
選択回路３０は、ＣＰＵ２０から出力される制御信号に従って、複数の映像信号のうちの１つを選択する。選択回路３０によって選択された映像信号は、ＤＳＰ４０に供給される。
【００２８】
ＤＳＰ４０は、プログラムに従って映像信号処理を実行するプログラマブルな実時間映像信号処理装置である。ＤＳＰ４０は、ＣＰＵ２０から出力される制御信号に従って、選択回路３０によって選択された映像信号のフォーマットに対応するプログラムをプログラムメモリ４５から読み出し、そのプログラムを実行する。これにより、選択回路３０によって選択された映像信号のフォーマットがディスプレイ装置５０が表示可能な所定の表示フォーマットに変換される。
【００２９】
例えば、選択回路３０によってＮＴＳＣデコーダ１５から出力されるＲＧＢ信号が選択された場合には、ＤＳＰ４０には、「水平走査線数５２５本／飛び越し走査」という映像フォーマットを「水平走査線数１１２５本／飛び越し走査」という表示フォーマットに変換するプログラムがＣＰＵ２０の制御に従ってプログラムメモリ４５から供給される。ＤＳＰ４０は、このフォーマット変換プログラムを実行する。その結果、ＤＳＰ４０の出力としてディスプレイ装置５０が表示可能な表示フォーマットに変換された映像信号が提供される。その映像信号は、ディスプレイ装置５０に供給されそこで表示される。
【００３０】
選択回路３０によってＭＵＳＥデコーダ１６から出力される高品位ＲＧＢ信号が選択された場合には、ＤＳＰ４０には、ＭＵＳＥデコーダ１６から出力される高品位ＲＧＢ信号をそのままスルーさせるプログラムがＣＰＵ２０の制御に従ってプログラムメモリ４５から供給される。高品位ＲＧＢ信号の映像フォーマットとディスプレイ装置５０が表示可能な表示フォーマットとが同一であるため、フォーマット変換を行う必要がないからである。
【００３１】
選択回路３０によってディジタルデコーダ１７から出力されるＲＧＢ信号が選択された場合は、選択回路３０によってＮＴＳＣデコーダ１５から出力されるＲＧＢ信号が選択された場合と同様である。プログラムの実行により、「水平走査線数５２５本／飛び越し走査」という映像フォーマットが「水平走査線数１１２５本／飛び越し走査」という表示フォーマットに変換される。その結果、ＤＳＰ４０の出力としてディスプレイ装置５０が表示可能な表示フォーマットに変換された映像信号が提供される。その映像信号は、ディスプレイ装置５０に供給されそこで表示される。
【００３２】
選択回路３０によって入力端子２２から入力されるＲＧＢ信号が選択された場合には、ＤＳＰ４０には、入力されたＲＧＢ信号の映像フォーマット（例えば、ＶＧＡ、ＳＶＧＡ）を「水平走査線数１１２５本／飛び越し走査」という表示フォーマットに変換するプログラムがＣＰＵ２０の制御に従ってプログラムメモリ４５から供給される。ＤＳＰ４０は、このフォーマット変換プログラムを実行する。その結果、ＤＳＰ４０の出力としてディスプレイ装置５０が表示可能な表示フォーマットに変換された映像信号が提供される。その映像信号は、ディスプレイ装置５０に供給されそこで表示される。
【００３３】
上述したように、ＣＰＵ２０は、選択回路３０およびＤＳＰ４０を制御する。ＣＰＵ２０から出力される制御信号は、システムコントロールバスを介して選択回路３０およびＤＳＰ４０に供給される。制御信号の値は、制御入力端子２１から入力される使用者の操作情報に応じて決定される。使用者の操作情報は、チャンネル選択信号を含む。
【００３４】
ＣＰＵ２０は、Ｖ／ＵＨＦチューナ１、ＢＳチューナ２、ＣＳチューナ３の選局を制御する。
【００３５】
さらに、ＣＰＵ２０は、選択回路１２を制御する。選択回路１２は、ＮＴＳＣデコーダ１５への入力を選択する回路である。選択回路１２は、地上波を用いたＮＴＳＣ放送信号を受信する場合にはＶＳＢ復調器９の出力をＮＴＳＣデコーダに接続し、ＢＳを用いたＮＴＳＣ放送信号を受信する場合にはＦＭ復調器１０の出力をＮＴＳＣデコーダ１５に接続するように制御される。
【００３６】
このように、テレビジョン受信機２００によれば、映像信号のフォーマットに対応するフォーマット変換プログラムを実行することにより、異なる映像フォーマットを有する映像信号を所定の表示フォーマットを有する映像信号に変換することができる。これにより、回路規模やコストを増大させることなく多様な放送メディアに対応することができる。
【００３７】
ここで、特に、ＤＳＰ４０として、特開平３−２５８１７９号公報に記載のＳＶＰ（Ｓｃａｎ−ｌｉｎｅ  Ｖｉｄｅｏ  Ｐｒｏｃｅｓｓｏｒ）型のＤＳＰを使用することが好ましい。ＳＶＰ型のＤＳＰは、走査線構造の信号を走査線単位で処理する構成を有していることから、走査線数変換などのフォーマット変換処理に好適であるからである。
【００３８】
一方、ＳＶＰ型のＤＳＰは、ＮＴＳＣ信号のデコード処理における同期処理やディジタル放送のデコード処理における逆コサイン変換やエラー訂正などの処理には不適である。上記実施の形態１では、映像信号をデコードするデコーダ部１５〜１７とＤＳＰ４０を含むフォーマット変換部１００とを分離することにより、ＤＳＰ４０には走査構造の信号のみが供給される構成となっている。これにより、ＤＳＰ４０の構成を最適化し、高いコストパフォーマンスを得ることができる。
【００３９】
（実施の形態２）
図２は、本発明の実施の形態２のテレビジョン受信機２２０の構成を示す。図２において、図１に示す構成要素と同一の構成要素には同一の参照番号を付し、その説明を省略する。
【００４０】
フォーマット変換部１００は、複数の映像信号源２１０ａ〜２１０ｄから出力される複数の映像信号のうち２つを選択する選択回路３１と、プログラムに従って、選択回路３１によって選択された２つの映像信号のそれぞれのフォーマットをディスプレイ装置５０が表示可能な所定の表示フォーマットに変換するとともにディスプレイ装置５０に合成された映像が表示されるようにその２つの映像信号を処理するＤＳＰ４１とを有している。
【００４１】
選択回路３１は、ＣＰＵ２０から出力される制御信号に従って、複数の映像信号のうちの２つを選択する。選択回路３１によって選択された２つの映像信号は、ＤＳＰ４１に供給される。選択回路３１によって選択された２つの映像信号は、複数の映像信号のうち任意の組み合わせであり得る。
【００４２】
ＤＳＰ４１は、ＣＰＵ２０から出力される制御信号に従って、選択回路３１によって選択された２つの映像信号のそれぞれのフォーマットに対応するプログラムをプログラムメモリ４５から読み出し、そのプログラムを実行する。これにより、選択回路３１によって選択された２つの映像信号のそれぞれのフォーマットがディスプレイ装置５０が表示可能な所定の表示フォーマットに変換される。さらに、ＤＳＰ４１は、合成プログラムに従って、選択回路３１によって選択された２つ映像信号を合成する。これにより、ディスプレイ装置５０に合成された映像が表示される。
【００４３】
図３は、ＤＳＰ４１によって実行されるフォーマット変換処理および画面合成処理の手順を示す。
【００４４】
図３に示す例では、選択回路３１によってＮＴＳＣデコーダ１５から出力されるＲＧＢ信号（Ａ）とＭＵＳＥデコーダ１６から出力される高品位ＲＧＢ信号（Ｂ）とが選択された場合を仮定している。この場合、ＤＳＰ４１は、フォーマット変換プログラムに従って、ＲＧＢ信号（Ａ）のフォーマット（水平走査線数５２５本／飛び越し走査）を所定の表示フォーマット（水平走査線数１１２５本／飛び越し走査）に変換する（ステップＳ３１）。次に、ＤＳＰ４１は、合成プログラムに従って、フォーマット変換されたＲＧＢ信号（Ａ’）と高品位ＲＧＢ信号（Ｂ）とを合成する（ステップＳ３２）。その結果、水平走査線数１１２５本／飛び越し走査という表示フォーマットを有する合成された映像信号（Ｃ）が得られる。ここで、高品位ＲＧＢ信号（Ｂ）は、表示フォーマットと同一のフォーマットを有してるので、フォーマット変換を行う必要はない。
【００４５】
図４は、ＤＳＰ４１によって実行されるフォーマット変換処理および画面合成処理の他の手順を示す。
【００４６】
図４に示す例では、選択回路３１によってＮＴＳＣデコーダ１５から出力されるＲＧＢ信号（Ａ）とＭＵＳＥデコーダ１６から出力される高品位ＲＧＢ信号（Ｂ）とが選択された場合を仮定している。この場合、ＤＳＰ４１は、フォーマット変換プログラムに従って、高品位ＲＧＢ信号（Ｂ）のフォーマット（水平走査線数１１２５本／飛び越し走査）をＲＧＢ信号（Ａ）のフォーマット（水平走査線数５２５本／飛び越し走査）に変換する（ステップＳ４１）。次に、ＤＳＰ４１は、合成プログラムに従って、フォーマット変換された高品位ＲＧＢ信号（Ｂ’）とＲＧＢ信号（Ａ）とを合成する（ステップＳ４２）。その結果、水平走査線数５２５本／飛び越し走査というフォーマットを有する合成された映像信号（Ｃ）が得られる。次に、ＤＳＰ４１は、フォーマット変換プログラムに従って、合成された映像信号（Ｃ）のフォーマット（水平走査線数５２５本／飛び越し走査）を所定の表示フォーマット（水平走査線数１１２５本／飛び越し走査）に変換する（ステップＳ４３）。その結果、水平走査線数１１２５本／飛び越し走査という表示フォーマットを有する合成された映像信号（Ｄ）が得られる。
【００４７】
画面合成処理は、図示されていないフィールドメモリを用いて行われる。図４に示す手順は、図３に示す手順に比較してフィールドメモリに保存するメモリ量が少なくてすむという利点を提供する。図３に示す手順では水平走査線数１１２５本／飛び越し走査というフォーマットで１フィールド分のメモリ量をフィールドメモリに保存する必要があるのに対し、図４に示す手順では水平走査線数５２５本／飛び越し走査というフォーマットで１フィールド分のメモリ量をフィールドメモリに保存すれば足りるからである。しかし、図４に示す手順によれば、図３に示す手順に比較して画質が劣化してしまう。図４に示す手順では、水平走査線数１１２５本／飛び越し走査というフォーマットを水平走査線数５２５本／飛び越し走査というフォーマットにいったん変換しているからである。
【００４８】
このように、図３に示す手順と図４に示す手順とには一長一短がある。図３に示す手順と図４に示す手順のいずれを採用するかは、フィールドメモリのコストと要求される画質とを考慮して決定される。
【００４９】
このように、テレビジョン受信機２２０によれば、映像信号のフォーマットに対応するフォーマット変換プログラムを実行することにより、異なる映像フォーマットを有する映像信号を所定の表示フォーマットを有する映像信号に変換することができる。これにより、回路規模やコストを増大させることなく多様な放送メディアに対応することができる。さらに、複数の映像信号を合成することによりディスプレイ装置５０に合成された映像を表示することができる。
【００５０】
なお、実施の形態２では、複数の映像信号のうち２つの映像信号を選択するとしたが、選択される映像信号の数は２に限定されない。複数の映像信号のうち２以上の映像信号を選択し、選択された２以上の映像信号に対してフォーマット変換処理および合成処理を行うことも本発明の範囲に含まれる。
【００５１】
（実施の形態３）
図５は、本発明の実施の形態３の映像信号処理装置３００の構成を示す。映像信号処理装置３００は、図１に示すテレビジョン受信機２００におけるフォーマット変換部１００を分離し、システム制御用としてＣＰＵ２０と制御入力端子２１とを組み込んだものである。
【００５２】
映像信号処理装置３００は、複数の映像信号入力端子１０１〜１０４を有している。映像信号入力端子１０１〜１０４には、複数の映像信号がそれぞれ入力される。複数の映像信号は、典型的には、互いに異なる映像フォーマットを有している。例えば、映像信号入力端子１０１には、ＮＴＳＣデコーダ１５（図１）から出力されるＲＧＢ信号が入力され、映像信号入力端子１０２には、ＭＵＳＥデコーダ１６（図１）から出力される高品位ＲＧＢ信号が入力される。
【００５３】
複数の映像入力端子１０１〜１０４から入力された複数の映像信号は、フォーマット変換部１００に供給される。
【００５４】
フォーマット変換部１００は、選択回路３０とＤＳＰ４０とを含んでいる。選択回路３０およびＤＳＰ４０の構成および動作は、実施の形態１で説明したとおりである。
【００５５】
ＤＳＰ４０によってフォーマット変換された映像信号は、映像信号出力端子１１０を介して映像信号処理装置３００から出力される。
【００５６】
映像信号処理装置３００によれば、回路規模やコストを増大させることなく多様な放送メディアに対応することができる。
【００５７】
図５に示す映像信号処理装置３００は、大画面の投射型ディスプレイシステムに適用することができる。近年、公共施設などにおいて、大画面の投射型ディスプレイシステムが設置されることが増えている。このシステムは、基本的には、投射型ディスプレイ装置と信号再生装置とを組み合わせて構築される。この信号再生装置として本発明の映像信号処理装置３００を使用することができる。映像信号処理装置３００は、映像信号入力端子から入力される映像信号のフォーマットを所定の表示フォーマットに変換し、フォーマット変換された映像信号を投射型ディスプレイ装置に供給する。フォーマット変換は、映像信号のフォーマットに対応するプログラムを実行することによって行われる。これにより、回路規模やコストを増大させることなく多様な放送メディアに対応することができるシステムを実現することができる。また、入力される映像信号のフォーマットの変更や投射型ディスプレイ装置の変更に対してプログラマブルに対処できる。このように、映像信号処理回路３００の汎用性はきわめて高いといえる。
【００５８】
（実施の形態４）
図６は、本発明の実施の形態４の映像信号処理装置３２０の構成を示す。映像信号処理装置３２０は、図２に示すテレビジョン受信機２２０におけるフォーマット変換部１００を分離し、システム制御用としてＣＰＵ２０と制御入力端子２１とを組み込んだものである。
【００５９】
映像信号処理装置３２０は、複数の映像信号入力端子１０１〜１０４を有している。映像信号入力端子１０１〜１０４には、複数の映像信号がそれぞれ入力される。複数の映像信号は、典型的には、互いに異なる映像フォーマットを有している。例えば、映像信号入力端子１０１には、ＮＴＳＣデコーダ１５（図１）から出力されるＲＧＢ信号が入力され、映像信号入力端子１０２には、ＭＵＳＥデコーダ１６（図１）から出力される高品位ＲＧＢ信号が入力される。
【００６０】
複数の映像入力端子１０１〜１０４から入力された複数の映像信号は、フォーマット変換部１００に供給される。
【００６１】
フォーマット変換部１００は、選択回路３１とＤＳＰ４１とを含んでいる。選択回路３１およびＤＳＰ４１の構成および動作は、実施の形態２で説明したとおりである。
【００６２】
ＤＳＰ４１によってフォーマット変換され画像合成された映像信号は、映像信号出力端子１１０を介して映像信号処理装置３２０から出力される。
【００６３】
映像信号処理装置３２０によれば、回路規模やコストを増大させることなく多様な放送メディアに対応することができ、かつ、合成された映像信号を出力することができる。
【００６４】
図６に示す映像信号処理装置３２０を大画面の投射型ディスプレイシステムに適用することができる。その理由は実施の形態３で説明した理由と同様である。
【００６５】
【発明の効果】
本発明のテレビジョン受信機によれば、複数の映像信号源から出力される複数の映像信号のうち１つが選択される。選択された映像信号のフォーマットは、プログラムに従ってディスプレイ装置が表示することが可能な所定の表示フォーマットに変換される。これにより、複数の映像信号源から出力される複数の映像信号が異なるフォーマットを有している場合でも、各フォーマットに対応するプログラムを実行することによって、複数の映像信号のそれぞれを所定の表示フォーマットに変換することが可能となる。その結果、回路規模やコストを増大させることなく多様な放送メディアに対応することができるテレビジョン受信機を実現することが可能になる。
【００６６】
本発明の他のテレビジョン受信機によれば、複数の映像信号源から出力される複数の映像信号のうち少なくとも２つが選択される。選択された少なくとも２つの映像信号のそれぞれのフォーマットは、プログラムに従ってディスプレイ装置が表示することが可能な所定の表示フォーマットに変換される。また、選択された少なくとも２つの映像信号は、ディスプレイ装置に合成された映像が表示されるように処理される。これにより、回路規模やコストを増大させることなく多様な放送メディアに対応することができ、かつ、ディスプレイ装置の画面上で合成された映像を見ることができるテレビジョン受信機を実現することが可能になる。
【００６７】
本発明の映像信号処理装置によれば、複数の映像信号入力端子から入力される複数の映像信号のうち１つが選択される。選択された映像信号のフォーマットは、プログラムに従って所定の表示フォーマットに変換される。これにより、複数の映像信号入力端子から入力される複数の映像信号が異なるフォーマットを有している場合でも、各フォーマットに対応するプログラムを実行することによって、複数の映像信号のそれぞれを所定の表示フォーマットに変換することが可能となる。その結果、回路規模やコストを増大させることなく多様な放送メディアに対応することができる映像信号処理装置を実現することが可能になる。
【００６８】
本発明の他の映像信号処理装置によれば、複数の映像信号入力端子から入力される複数の映像信号のうち少なくとも２つが選択される。選択された少なくとも２つの映像信号のそれぞれのフォーマットは、プログラムに従って所定の表示フォーマットに変換される。また、選択された少なくとも２つの映像信号は合成される。これにより、回路規模やコストを増大させることなく多様な放送メディアに対応することができ、かつ、合成された映像信号を出力することができる映像信号処理装置を実現することが可能になる。
【図面の簡単な説明】
【図１】本発明の実施の形態１のテレビジョン受信機２００の構成を示す図である。
【図２】本発明の実施の形態２のテレビジョン受信機２２０の構成を示す図である。
【図３】ＤＳＰ４１によって実行されるフォーマット変換処理および画面合成処理の手順を示す処理フロー図である。
【図４】ＤＳＰ４１によって実行されるフォーマット変換処理および画面合成処理の他の手順を示す処理フロー図である。
【図５】本発明の実施の形態３の映像信号処理装置３００の構成を示す図である。
【図６】本発明の実施の形態４の映像信号処理装置３２０の構成を示す図である。
【符号の説明】
１  Ｖ／ＵＨＦチューナ
２  ＢＳチューナ
３  ＣＳチューナ
４  ＰＣ
６、７、８  ＶＩＦ
９  ＶＳＢ復調器
１０  ＦＭ復調器
１１  ＱＰＳＫ復調器
１２  選択回路
１５  ＮＴＳＣデコーダ
１６  ＭＵＳＥデコーダ
１７  ディジタルデコーダ
２０  ＣＰＵ
２１  制御入力端子
２２  入力端子
３０、３１  選択回路
４０、４１  ＤＳＰ
４５  プログラムメモリ
５０  ディスプレイ装置
１００  フォーマット変換部
２００、２２０  テレビジョン受信機
２１０ａ、２１０ｂ、２１０ｃ、２１０ｄ  映像信号源
３００、３２０  映像信号処理装置
【図１】
0003607798.tif 000002
【図２】
0003607798.tif 000003
【図３】
0003607798.tif 000004
【図４】
0003607798.tif 000005
【図５】
0003607798.tif 000006
【図６】
0003607798.tif 000007